(57)【要約】【課題】  インタラクティブタッチコントロールリモートコントロール装置の提供。【解決手段】  要求確認装置の信号発送ボタンが配置されて使用者の押圧操作により要求確認装置の信号を発射し、ターゲット電器設備のターゲット電器設備制御回路中に結合された装置識別データ保存ユニットが、該電器設備自身の設定装置コードを保存する。ターゲット電器設備がインタラクティブタッチコントロールリモートコントロール装置の発射した要求確認装置の信号を受け取ると、それ自身の装置コートと該装置コードに対応する通信協定、制御ボタン配置のデータを応答する。インタラクティブタッチコントロールリモートコントロール装置はこの応答の装置コードを受け取ると、装置コードに対応する制御ボタンをタッチコントロール表示モジュールの表示ユニットに表示し、その使用する通信協定を調節し、該ターゲット電器設備に対するリモートコントロール操作を行なう。【選択図】        図２
2006148850.tif 000002
【特許請求の範囲】
【請求項１】
少なくとも一つのターゲット電器設備をリモートコントロールするためのインタラクティブタッチコントロールリモートコントロール装置であり、該インタラクティブタッチコントロールリモートコントロール装置は、
マイクロコントローラーと、
該マイクロコントローラーに接続された発射回路と、
該マイクロコントローラーに接続された受信回路と、
操作者による押圧をマイクロコントローラーにより検出され、更に発射回路を通して要求確認装置の信号を送出する要求確認装置の信号発送ボタンと、
モジュールケースに配置されて該マイクロコントローラーに接続され、タッチコントロール位置検出ユニットと表示ユニットとを具えたタッチコントロール表示モジュールと、  を具え、該ターゲット電器設備は、
マイクロコントローラーを具えてターゲット電器設備の各種動作を制御するターゲット電器設備制御回路と、
該ターゲット電器設備のマイクロコントローラーに接続された発射回路と、
該ターゲット電器設備のマイクロコントローラーに接続された受信回路と、
該ターゲット電器設備のマイクロコントローラーに接続されて該ターゲット電器設備自身の設定装置コード及び装置コードに対応する通信協定、制御ボタン配置のデータを保存する装置識別データ保存ユニットと、
を具え、
インタラクティブタッチコントロールリモートコントロール装置の要求確認装置の信号発送ボタンが操作者により押圧された時、該インタラクティブタッチコントロールリモートコントロール装置の発射回路が要求確認装置の信号をターゲット電器設備に送り、ターゲット電器設備が該要求確認装置の信号を受け取った後にそれ自身の装置コードとその装置コードに対応する通信協定、制御ボタン配置のデータを発信してインタラクティブタッチコントロールリモートコントロール装置の受信回路が受け取り、インタラクティブタッチコントロールリモートコントロール装置のマイクロコントローラーが受信した装置コードとそれに対応する制御ボタンをタッチコントロール表示モジュールの表示ユニットに表示し、その使用する通信協定を調節し、該ターゲット電器設備のリモートコントロール操作に供することを特徴とする、インタラクティブタッチコントロールリモートコントロール装置。
【請求項２】
請求項１記載のインタラクティブタッチコントロールリモートコントロール装置において、該インタラクティブタッチコントロールリモートコントロール装置がマイクロコントローラーに接続された装置識別データ保存装置を具え、該装置識別データ保存装置が少なくとも一組の装置コード及びその装置コードに対応する通信協定、制御ボタン配置のデータを保存することを特徴とする、インタラクティブタッチコントロールリモートコントロール装置。
【請求項３】
請求項１記載のインタラクティブタッチコントロールリモートコントロール装置において、該インタラクティブタッチコントロールリモートコントロール装置のマイクロコントローラーに接続された現在装置コードレジスタを具え、該現在装置コードレジスタはターゲット電器設備より応答された装置コードとその装置コードに対応する通信協定、制御ボタン配置のデータを保存することを特徴とする、インタラクティブタッチコントロールリモートコントロール装置。
【請求項４】
請求項３記載のインタラクティブタッチコントロールリモートコントロール装置において、現在装置コードレジスタが複数の異なるターゲット電器設備より発信された装置コードとその装置コードに対応する通信協定、制御ボタン配置のデータを保存することを特徴とする、インタラクティブタッチコントロールリモートコントロール装置。
【請求項５】
請求項１記載のインタラクティブタッチコントロールリモートコントロール装置において、ターゲット電器設備がそのマイクロコントローラーに接続されたエラーコード及びメッセージ保存ユニットを具え、該エラーコード及びメッセージ保存ユニットが複数の、電器設備エラー事件を代表するエラーコード及びエラーメッセージを保存し、設定されたエラー事件が発生した時、該ターゲット電器設備の発射回路がそのエラー事件を代表するエラーコード及びメッセージを発射し、インタラクティブタッチコントロールリモートコントロール装置に受信させることを特徴とする、インタラクティブタッチコントロールリモートコントロール装置。
【請求項６】
少なくとも一つのターゲット電器設備をリモートコントロールするためのインタラクティブタッチコントロールリモートコントロール装置であり、該インタラクティブタッチコントロールリモートコントロール装置は、
マイクロコントローラーと、
該マイクロコントローラーに接続された発射回路と、
該マイクロコントローラーに接続された受信回路と、
操作者による押圧をマイクロコントローラーにより検出され、更に発射回路を通して要求確認装置の信号を送出する要求確認装置の信号発送ボタンと、
モジュールケースに配置されて該マイクロコントローラーに接続され、タッチコントロール位置検出ユニットと表示ユニットとを具えたタッチコントロール表示モジュールと、  該マイクロコントローラーに接続されて少なくとも一組の装置コード及び該装置コードに対応する通信協定、制御ボタン配置のデータを保存する装置識別データ保存装置と、
を具え、該ターゲット電器設備は、
マイクロコントローラーを具えてターゲット電器設備の各種動作を制御するターゲット電器設備制御回路と、
該ターゲット電器設備のマイクロコントローラーに接続された発射回路と、
該ターゲット電器設備のマイクロコントローラーに接続された受信回路と、
該ターゲット電器設備のマイクロコントローラーに接続されて該ターゲット電器設備自身の設定装置コードを保存する装置識別データ保存ユニットと、
を具え、
インタラクティブタッチコントロールリモートコントロール装置の要求確認装置の信号発送ボタンが操作者により押圧された時、該インタラクティブタッチコントロールリモートコントロール装置の発射回路が要求確認装置の信号をターゲット電器設備に送り、ターゲット電器設備が該要求確認装置の信号を受け取った後にそれ自身の装置コードを発信してインタラクティブタッチコントロールリモートコントロール装置の受信回路が受け取り、インタラクティブタッチコントロールリモートコントロール装置のマイクロコントローラーが受信した装置コードにより装置識別データ保存装置よりその装置コードに対応する通信協定、制御ボタン配置のデータを取り出し並びにその装置コードに対応する制御ボタンをタッチコントロール表示モジュールの表示ユニットに表示し、その使用する通信協定を調節し、該ターゲット電器設備のリモートコントロール操作に供することを特徴とする、インタラクティブタッチコントロールリモートコントロール装置。
【請求項７】
請求項６記載のインタラクティブタッチコントロールリモートコントロール装置において、該インタラクティブタッチコントロールリモートコントロール装置のマイクロコントローラーに接続された現在装置コードレジスタを具え、該現在装置コードレジスタはターゲット電器設備より応答された装置コードとその装置コードに対応する通信協定、制御ボタン配置のデータを保存することを特徴とする、インタラクティブタッチコントロールリモートコントロール装置。
【請求項８】
請求項７記載のインタラクティブタッチコントロールリモートコントロール装置において、現在装置コードレジスタが複数の異なるターゲット電器設備より発信された装置コードとその装置コードに対応する通信協定、制御ボタン配置のデータを保存することを特徴とする、インタラクティブタッチコントロールリモートコントロール装置。
【請求項９】
請求項６記載のインタラクティブタッチコントロールリモートコントロール装置において、ターゲット電器設備がそのマイクロコントローラーに接続されたエラーコード及びメッセージ保存ユニットを具え、該エラーコード及びメッセージ保存ユニットが複数の、電器設備エラー事件を代表するエラーコード及びエラーメッセージを保存し、設定されたエラー事件が発生した時、該ターゲット電器設備の発射回路がそのエラー事件を代表するエラーコード及びメッセージを発射し、インタラクティブタッチコントロールリモートコントロール装置に受信させることを特徴とする、インタラクティブタッチコントロールリモートコントロール装置。
【請求項１０】
インタラクティブタッチコントロールリモートコントロール方法において、インタラクティブタッチコントロールリモートコントロール装置に発射回路、受信回路、要求確認装置の信号発送ボタン、及び、タッチコントロール位置検出ユニットと表示ユニットを具えたタッチコントロール表示モジュールが設けられ、ターゲット電器設備にターゲット電器設備制御回路、発射回路、受信回路、該ターゲット電器設備自身の設定装置コードを保存した装置識別データ保存ユニットを具え、この方法は、
（ａ）インタラクティブタッチコントロールリモートコントロール装置の要求確認装置の信号発送ボタンが押圧されたか否かを検出するステップ、
（ｂ）要求確認装置の信号発送ボタンが押圧されたことを検出した時、インタラクティブタッチコントロールリモートコントロール装置の発射回路が要求確認装置の信号を発射するステップ、
（ｃ）ターゲット電器設備の受信回路がインタラクティブタッチコントロールリモートコントロール装置の発射した要求確認装置の信号を受け取り並びに発射回路より該ターゲット電器設備自身の装置コードを発信して応答するステップ、
（ｄ）インタラクティブタッチコントロールリモートコントロール装置が該ターゲット電器設備の発射した装置コードを受信するステップ、
（ｅ）インタラクティブタッチコントロールリモートコントロール装置が受信した装置コードにより、その装置コードに対応する制御ボタン配置をタッチコントロール表示モジュールの表示ユニットに表示し、そのターゲット電器設備に対するリモートコントロール操作に供するステップ、
を具えたことを特徴とする、インタラクティブタッチコントロールリモートコントロール方法。
【請求項１１】
請求項１０記載のインタラクティブタッチコントロールリモートコントロール方法において、（ｄ）のステップで、インタラクティブタッチコントロールリモートコントロール装置がターゲット電器設備の発信した装置コードを受け取った後、更に、インタラクティブタッチコントロールリモートコントロール装置中の装置識別データ保存装置中より該装置コードに対応するデータをサーチし、並びに該装置コードを確認した後、該装置コードに対応する通信協定、制御ボタン配置のデータを取り出すステップを具えたことを特徴とする、インタラクティブタッチコントロールリモートコントロール方法。
【請求項１２】
請求項１０記載のインタラクティブタッチコントロールリモートコントロール方法において、（ｄ）のステップで、インタラクティブタッチコントロールリモートコントロール装置がターゲット電器設備の発信した装置コードを受け取った後、更に、該装置コードを現在装置コードレジスタ中に保存するステップを具えたことを特徴とする、インタラクティブタッチコントロールリモートコントロール方法。
【請求項１３】
請求項１０記載のインタラクティブタッチコントロールリモートコントロール方法において、（ｅ）のステップで、インタラクティブタッチコントロールリモートコントロール装置のタッチコントロール表示モジュールの表示ユニットに、複数のターゲット電器設備の装置コードを共に表示し、使用者がリモートコントロール操作するターゲット電器設備を選択するのに供することを特徴とする、インタラクティブタッチコントロールリモートコントロール方法。
【請求項１４】
請求項１０記載のインタラクティブタッチコントロールリモートコントロール方法において、（ｅ）のステップの後に、更に、
（ｆ）エラー事件検出装置によりターゲット電器設備にエラー情況が発生したか否かを検出するステップ、
（ｇ）ターゲット電器設備にエラー事件が発生したことを検出した時、そのターゲット電器設備の発射回路がエラー事件に対応するエラーコード及びメッセージを発射するステップ、
（ｈ）インタラクティブタッチコントロールリモートコントロール装置の受信回路が該ターゲット電器設備の発射したエラーコード及びメッセージを受け取るステップ、
（ｉ）エラーコード及びメッセージ保存ユニットをインタラクティブタッチコントロールリモートコントロール装置のタッチコントロール表示モジュールの表示ユニットに表示するステップ、
を具えたことを特徴とする、インタラクティブタッチコントロールリモートコントロール方法。
【発明の詳細な説明】
【技術分野】
【０００１】
本発明は一種の電器設備のリモートコントロール技術に係り、特に一種のインタラクティブタッチコントロールリモコン装置及びその方法の提供。
【背景技術】
【０００２】
各種のターゲット電器設備の設計にあっては、使用者が簡単にリモートコントロールできるように、現在一般に赤外線或いはＲＦ信号リモートコントロールの技術が使用されている。その一般的な方法は、ターゲット電器設備の制御回路中にリモートコントロール受信回路を増設し、該リモートコントロール受信回路がリモートコントローラーのリモートコントロール信号を受け取り、該ターゲット電器設備の電源のオン／オフ、調節等の各種機能を達成する、というものである。例えばクーラーのリモートコントロール操作では、使用者はリモートコントローラーで電源オン、電源オフ、温度調節、タイマー等の各種機能を操作できる。また、テレビジョン受信機のリモートコントロール操作では、使用者はリモートコントローラーにより電源オン、電源オフ、チャンネル選択、ボリューム調節等の各種機能を操作できる。
【発明の開示】
【発明が解決しようとする課題】
【０００３】
リモートコントローラーでターゲット電器設備の制御を行なう技術は操作上の便利性を増すが、一般にリモートコントローラーの設計は固定式のリモートコントロール機能しかなく、則ち使用者はリモートコントローラー上の制御ボタンによってしかターゲット電器設備を制御できず、適切な調節を行なえない。
【０００４】
更に伝統的なリモートコントローラーは、単一のリモートコントローラーが一台のターゲット電器設備に対応し、相互間で相互に共用できず、リモートコントロール機能を具えたターゲット電器設備が数台ある時、使用者は正確なリモートコントローラーを探し出さねばターゲット電器設備を制御できない。このため、現在家庭内の環境に複数のリモートコントローラーが存在することが多く、且つ相互に共用できない。
【０００５】
更に、伝統的なリモートコントローラーは単一方向式のリモートコントロール機能しかなく、則ち使用者はリモートコントローラー上に設けられた制御ボタンによってしかターゲット電器設備を制御できず、このリモートコントローラーは単方向制御のモードを有するのみで、ターゲット電器設備との間にインタラクティブな機能を具備せず、使用者はインタラクティブな操作モードにより該リモートコントローラーを使用することができない。
【０００６】
このため、現在のリモートコントローラーの数々の欠点に対して使用者の実際の要求に合わせて改良を行なう必要がある。
【０００７】
ゆえに、本発明の主要な目的は、一種のインタラクティブリモートコントロール装置を提供し、伝統的なリモートコントローラーが採用する単一方向式の欠点を克服し、インタラクティブ操作モードによりリモートコントローラーのインタラクティブ機能を達成できるようにすることにある。
【０００８】
本発明の次の目的は、一種のタッチコントロール式のリモートコントロール装置を提供することにあり、それはタッチコントロール表示モジュールと電器設備リモートコントロール技術を整合させることにより、使用者がタッチコントロールの方式によりターゲット電器設備をリモートコントロールできるようにしたものとする。
【０００９】
本発明の更なる目的は、一種のエラーフィードバック機能を具えたインタラクティブリモートコントロール装置を提供し、電器設備にエラー情況が発生した時、該リモートコントロール装置が該エラー情況を表示できるようにし、適時に故障を排除させるか或いは修理員が修理を行なう参考に供して修理をスピードアップさせるものとする。
【００１０】
本発明が周知の技術の問題を解決するために採用する技術手段として、インタラクティブタッチコントロールリモートコントロール装置中に要求確認装置の信号発送ボタンを配置し、使用者の押圧操作により要求確認装置の信号を発射し、ターゲット電器設備のターゲット電器設備制御回路中に結合させた装置識別データ保存ユニットに、該電器設備自身の設定装置コードを保存させる。ターゲット電器設備はインタラクティブタッチコントロールリモコン装置の発射した要求確認装置の信号を受け取ると、それ自身の装置コートと該装置コードに対応する通信協定、制御ボタン配置のデータを応答するものとする。インタラクティブタッチコントロールリモコン装置はこの応答の装置コードを受け取ると、装置コードに対応する制御ボタンをタッチコントロール表示モジュールの表示ユニットに表示し、その使用する通信協定を調節し、該ターゲット電器設備に対するリモコン操作を行なうものとする。
【００１１】
本発明は好ましい実施例において、単一のインタラクティブタッチコントロールリモートコントロール装置が複数のターゲット電器設備の動作を制御する。それはインタラクティブタッチコントロールリモートコントロール装置のタッチコントロール表示モジュールの表示ユニット上に、複数のターゲット電器設備の装置コードを表示させ、これにより使用者にリモートコントロールするターゲット電器設備を選択させる。
【課題を解決するための手段】
【００１２】
請求項１の発明は、少なくとも一つのターゲット電器設備をリモートコントロールするためのインタラクティブタッチコントロールリモートコントロール装置であり、該インタラクティブタッチコントロールリモートコントロール装置は、
マイクロコントローラーと、
該マイクロコントローラーに接続された発射回路と、
該マイクロコントローラーに接続された受信回路と、
操作者による押圧をマイクロコントローラーにより検出され、更に発射回路を通して要求確認装置の信号を送出する要求確認装置の信号発送ボタンと、
モジュールケースに配置されて該マイクロコントローラーに接続され、タッチコントロール位置検出ユニットと表示ユニットとを具えたタッチコントロール表示モジュールと、  を具え、該ターゲット電器設備は、
マイクロコントローラーを具えてターゲット電器設備の各種動作を制御するターゲット電器設備制御回路と、
該ターゲット電器設備のマイクロコントローラーに接続された発射回路と、
該ターゲット電器設備のマイクロコントローラーに接続された受信回路と、
該ターゲット電器設備のマイクロコントローラーに接続されて該ターゲット電器設備自身の設定装置コード及び装置コードに対応する通信協定、制御ボタン配置のデータを保存する装置識別データ保存ユニットと、
を具え、
インタラクティブタッチコントロールリモートコントロール装置の要求確認装置の信号発送ボタンが操作者により押圧された時、該インタラクティブタッチコントロールリモートコントロール装置の発射回路が要求確認装置の信号をターゲット電器設備に送り、ターゲット電器設備が該要求確認装置の信号を受け取った後にそれ自身の装置コードとその装置コードに対応する通信協定、制御ボタン配置のデータを発信してインタラクティブタッチコントロールリモートコントロール装置の受信回路が受け取り、インタラクティブタッチコントロールリモートコントロール装置のマイクロコントローラーが受信した装置コードとそれに対応する制御ボタンをタッチコントロール表示モジュールの表示ユニットに表示し、その使用する通信協定を調節し、該ターゲット電器設備のリモートコントロール操作に供することを特徴とする、インタラクティブタッチコントロールリモートコントロール装置としている。
請求項２の発明は、請求項１記載のインタラクティブタッチコントロールリモートコントロール装置において、該インタラクティブタッチコントロールリモートコントロール装置がマイクロコントローラーに接続された装置識別データ保存装置を具え、該装置識別データ保存装置が少なくとも一組の装置コード及びその装置コードに対応する通信協定、制御ボタン配置のデータを保存することを特徴とする、インタラクティブタッチコントロールリモートコントロール装置としている。
請求項３の発明は、請求項１記載のインタラクティブタッチコントロールリモートコントロール装置において、該インタラクティブタッチコントロールリモートコントロール装置のマイクロコントローラーに接続された現在装置コードレジスタを具え、該現在装置コードレジスタはターゲット電器設備より応答された装置コードとその装置コードに対応する通信協定、制御ボタン配置のデータを保存することを特徴とする、インタラクティブタッチコントロールリモートコントロール装置としている。
請求項４の発明は、請求項３記載のインタラクティブタッチコントロールリモートコントロール装置において、現在装置コードレジスタが複数の異なるターゲット電器設備より発信された装置コードとその装置コードに対応する通信協定、制御ボタン配置のデータを保存することを特徴とする、インタラクティブタッチコントロールリモートコントロール装置としている。
請求項５の発明は、請求項１記載のインタラクティブタッチコントロールリモートコントロール装置において、ターゲット電器設備がそのマイクロコントローラーに接続されたエラーコード及びメッセージ保存ユニットを具え、該エラーコード及びメッセージ保存ユニットが複数の、電器設備エラー事件を代表するエラーコード及びエラーメッセージを保存し、設定されたエラー事件が発生した時、該ターゲット電器設備の発射回路がそのエラー事件を代表するエラーコード及びメッセージを発射し、インタラクティブタッチコントロールリモートコントロール装置に受信させることを特徴とする、インタラクティブタッチコントロールリモートコントロール装置としている。
請求項６の発明は、少なくとも一つのターゲット電器設備をリモートコントロールするためのインタラクティブタッチコントロールリモートコントロール装置であり、該インタラクティブタッチコントロールリモートコントロール装置は、
マイクロコントローラーと、
該マイクロコントローラーに接続された発射回路と、
該マイクロコントローラーに接続された受信回路と、
操作者による押圧をマイクロコントローラーにより検出され、更に発射回路を通して要求確認装置の信号を送出する要求確認装置の信号発送ボタンと、
モジュールケースに配置されて該マイクロコントローラーに接続され、タッチコントロール位置検出ユニットと表示ユニットとを具えたタッチコントロール表示モジュールと、  該マイクロコントローラーに接続されて少なくとも一組の装置コード及び該装置コードに対応する通信協定、制御ボタン配置のデータを保存する装置識別データ保存装置と、
を具え、該ターゲット電器設備は、
マイクロコントローラーを具えてターゲット電器設備の各種動作を制御するターゲット電器設備制御回路と、
該ターゲット電器設備のマイクロコントローラーに接続された発射回路と、
該ターゲット電器設備のマイクロコントローラーに接続された受信回路と、
該ターゲット電器設備のマイクロコントローラーに接続されて該ターゲット電器設備自身の設定装置コードを保存する装置識別データ保存ユニットと、
を具え、
インタラクティブタッチコントロールリモートコントロール装置の要求確認装置の信号発送ボタンが操作者により押圧された時、該インタラクティブタッチコントロールリモートコントロール装置の発射回路が要求確認装置の信号をターゲット電器設備に送り、ターゲット電器設備が該要求確認装置の信号を受け取った後にそれ自身の装置コードを発信してインタラクティブタッチコントロールリモートコントロール装置の受信回路が受け取り、インタラクティブタッチコントロールリモートコントロール装置のマイクロコントローラーが受信した装置コードにより装置識別データ保存装置よりその装置コードに対応する通信協定、制御ボタン配置のデータを取り出し並びにその装置コードに対応する制御ボタンをタッチコントロール表示モジュールの表示ユニットに表示し、その使用する通信協定を調節し、該ターゲット電器設備のリモートコントロール操作に供することを特徴とする、インタラクティブタッチコントロールリモートコントロール装置としている。
請求項７の発明は、請求項６記載のインタラクティブタッチコントロールリモートコントロール装置において、該インタラクティブタッチコントロールリモートコントロール装置のマイクロコントローラーに接続された現在装置コードレジスタを具え、該現在装置コードレジスタはターゲット電器設備より応答された装置コードとその装置コードに対応する通信協定、制御ボタン配置のデータを保存することを特徴とする、インタラクティブタッチコントロールリモートコントロール装置としている。
請求項８の発明は、請求項７記載のインタラクティブタッチコントロールリモートコントロール装置において、現在装置コードレジスタが複数の異なるターゲット電器設備より発信された装置コードとその装置コードに対応する通信協定、制御ボタン配置のデータを保存することを特徴とする、インタラクティブタッチコントロールリモートコントロール装置としている。
請求項９の発明は、請求項６記載のインタラクティブタッチコントロールリモートコントロール装置において、ターゲット電器設備がそのマイクロコントローラーに接続されたエラーコード及びメッセージ保存ユニットを具え、該エラーコード及びメッセージ保存ユニットが複数の、電器設備エラー事件を代表するエラーコード及びエラーメッセージを保存し、設定されたエラー事件が発生した時、該ターゲット電器設備の発射回路がそのエラー事件を代表するエラーコード及びメッセージを発射し、インタラクティブタッチコントロールリモートコントロール装置に受信させることを特徴とする、インタラクティブタッチコントロールリモートコントロール装置としている。
請求項１０の発明は、インタラクティブタッチコントロールリモートコントロール方法において、インタラクティブタッチコントロールリモートコントロール装置に発射回路、受信回路、要求確認装置の信号発送ボタン、及び、タッチコントロール位置検出ユニットと表示ユニットを具えたタッチコントロール表示モジュールが設けられ、ターゲット電器設備にターゲット電器設備制御回路、発射回路、受信回路、該ターゲット電器設備自身の設定装置コードを保存した装置識別データ保存ユニットを具え、この方法は、
（ａ）インタラクティブタッチコントロールリモートコントロール装置の要求確認装置の信号発送ボタンが押圧されたか否かを検出するステップ、
（ｂ）要求確認装置の信号発送ボタンが押圧されたことを検出した時、インタラクティブタッチコントロールリモートコントロール装置の発射回路が要求確認装置の信号を発射するステップ、
（ｃ）ターゲット電器設備の受信回路がインタラクティブタッチコントロールリモートコントロール装置の発射した要求確認装置の信号を受け取り並びに発射回路より該ターゲット電器設備自身の装置コードを発信して応答するステップ、
（ｄ）インタラクティブタッチコントロールリモートコントロール装置が該ターゲット電器設備の発射した装置コードを受信するステップ、
（ｅ）インタラクティブタッチコントロールリモートコントロール装置が受信した装置コードにより、その装置コードに対応する制御ボタン配置をタッチコントロール表示モジュールの表示ユニットに表示し、そのターゲット電器設備に対するリモートコントロール操作に供するステップ、
を具えたことを特徴とする、インタラクティブタッチコントロールリモートコントロール方法としている。
請求項１１の発明は、請求項１０記載のインタラクティブタッチコントロールリモートコントロール方法において、（ｄ）のステップで、インタラクティブタッチコントロールリモートコントロール装置がターゲット電器設備の発信した装置コードを受け取った後、更に、インタラクティブタッチコントロールリモートコントロール装置中の装置識別データ保存装置中より該装置コードに対応するデータをサーチし、並びに該装置コードを確認した後、該装置コードに対応する通信協定、制御ボタン配置のデータを取り出すステップを具えたことを特徴とする、インタラクティブタッチコントロールリモートコントロール方法としている。
請求項１２の発明は、請求項１０記載のインタラクティブタッチコントロールリモートコントロール方法において、（ｄ）のステップで、インタラクティブタッチコントロールリモートコントロール装置がターゲット電器設備の発信した装置コードを受け取った後、更に、該装置コードを現在装置コードレジスタ中に保存するステップを具えたことを特徴とする、インタラクティブタッチコントロールリモートコントロール方法としている。
請求項１３の発明は、請求項１０記載のインタラクティブタッチコントロールリモートコントロール方法において、（ｅ）のステップで、インタラクティブタッチコントロールリモートコントロール装置のタッチコントロール表示モジュールの表示ユニットに、複数のターゲット電器設備の装置コードを共に表示し、使用者がリモートコントロール操作するターゲット電器設備を選択するのに供することを特徴とする、インタラクティブタッチコントロールリモートコントロール方法としている。
請求項１４の発明は、請求項１０記載のインタラクティブタッチコントロールリモートコントロール方法において、（ｅ）のステップの後に、更に、
（ｆ）エラー事件検出装置によりターゲット電器設備にエラー情況が発生したか否かを検出するステップ、
（ｇ）ターゲット電器設備にエラー事件が発生したことを検出した時、そのターゲット電器設備の発射回路がエラー事件に対応するエラーコード及びメッセージを発射するステップ、
（ｈ）インタラクティブタッチコントロールリモートコントロール装置の受信回路が該ターゲット電器設備の発射したエラーコード及びメッセージを受け取るステップ、
（ｉ）エラーコード及びメッセージ保存ユニットをインタラクティブタッチコントロールリモートコントロール装置のタッチコントロール表示モジュールの表示ユニットに表示するステップ、
を具えたことを特徴とする、インタラクティブタッチコントロールリモートコントロール方法としている。
【発明の効果】
【００１３】
本発明の技術手段により、現在の電器設備のリモートコントロール操作がインタラクティブのリモートコントロール機能を具備するものとなり、伝統的な単一方向式の制限を受けなくなり、ゆえに使用者がリモートコントローラーを使用する時、更にその便利さを実感できる。本発明のタッチコントロール表示の機能により、使用者はタッチコントロールの方式によりターゲット電器設備の各種の機能をリモートコントロールできるようになり、伝統的なリモートコントローラーのボタン押圧の古い形式を突破できる。更に本発明のエラーフィードバック機能により、ターゲット電器設備に設定されたエラー情況が発生する時、該リモートコントロール装置がエラー情況を表示し、適時に故障を排除するか或いは修理員の参考に供して修理を迅速に行なわせることができる。
【発明を実施するための最良の形態】
【００１４】
図１は本発明のインタラクティブタッチコントロールリモートコントロール装置の第１実施例の表示図である。本発明のタッチコントロールリモートコントロール装置により、インタラクティブ方式でターゲット電器設備の動作をリモートコントロールできる。
【００１５】
本発明のインタラクティブタッチコントロールリモートコントロール装置１はモジュールケース１１を具え、該モジュールケース１１にタッチコントロール表示モジュール１２が配置されている。該タッチコントロール表示モジュール１２の近隣位置には要求確認装置の信号発送ボタン１３が設けられて操作者による押圧により、該リモートコントロール装置１が要求確認装置の信号Ｓ１をターゲット電器設備２に送る。該ターゲット電器設備２には装置コードが付与されている。
【００１６】
該ターゲット電器設備２はこの要求確認装置の信号Ｓ１を受け取ると、それ自身の装置コード信号Ｓ２をインタラクティブタッチコントロールリモートコントロール装置１に送り、インタラクティブタッチコントロールリモートコントロール装置１は受け取った装置コード信号Ｓ２により該装置コードに対応する制御ボタンをそのタッチコントロール表示モジュール１２の表示ユニットに表示し、使用者が該ターゲット電器設備２の各種動作をリモートコントロールするのに供する。
【００１７】
さらに、該ターゲット電器設備２に設定されたエラー情況が発生すると、該ターゲット電器設備２は該エラー情況を代用するエラーコード信号Ｓ３をインタラクティブタッチコントロールリモートコントロール装置１に送り、更にインタラクティブタッチコントロールリモートコントロール装置１がエラーコード（Ｅｒｒｏｒ  Ｃｏｄｅ）及びエラーメッセージ（Ｅｒｒｏｒ  Ｍｅｓｓａｓｇｅ）を該タッチコントロール表示モジュール１２の表示ユニットに表示する。
【００１８】
図２は本発明のインタラクティブタッチコントロールリモートコントロール装置１の制御回路ブロック図である。該制御回路中にはマイクロコントローラー１４があり、該マイクロコントローラー１４はタッチコントロール表示モジュール１２に接続されている。該タッチコントロール表示モジュール１２はタッチコントロール位置検出ユニット１２１と表示ユニット１２２を包含する。
【００１９】
該タッチコントロール表示モジュール１２には例えば現在周知の薄膜抵抗式タッチスクリーン（Ｒｅｓｉｓｔｉｖｅ  Ｔｏｕｃｈ  Ｓｃｒｅｅｎ）及び液晶ディスプレイの技術が採用され、その構造は、圧接層中にスペーサドットマトリックス（Ｓｐａｃｅｒ  Ｄｏｔ  Ｍａｔｒｉｃ）が配置され、更にその組合せ構造が導電材料を具えた基層（図示せず）に嵌合されたものとされる。該タッチコントロール表示モジュール１２のタッチパネルが圧接される時、その圧接されたＸ、Ｙ座標位置はタッチコントロール位置検出ユニット１２１により検出され、更に信号出力線により検出されたＸ、Ｙ座標位置信号Ｓｘ、Ｓｙがマイクロコントローラー１４に送られる。該マイクロコントローラー１４は表示インタフェース１４１を通して表示データＳｄをタッチコントロール表示モジュール１２の表示ユニット１２２に送り、各関係情報を表示させる。
【００２０】
該マイクロコントローラー１４には装置識別データ保存装置１５が接続され、該装置識別データ保存装置１５は複数組の異なるメーカーが設定した装置コード及び該装置コードに対応する通信協定、制御ボタン配置等のデータを保存する。現在装置コードレジスタ１６もまた該マイクロコントローラー１４に接続され、それは現在使用される少なくとも一組の装置コードデータを保存する。
【００２１】
電源供給ユニット１７は該インタラクティブタッチコントロールリモートコントロール装置１の作業電源を供給する。発射回路１８１及び受信回路１８２は該マイクロコントローラー１４に接続され、それぞれ無線信号の発射及び無線信号の受信を行なう。
【００２２】
図３はターゲット電器設備の制御回路ブロック図である。該ターゲット電器設備２中には該ターゲット電器設備２の各種機能を制御するターゲット電器設備制御回路２１が設けられている。該ターゲット電器設備制御回路２１中にはマイクロコントローラー２２が設けられ、それは発射回路２３１、受信回路２３２、装置識別データ保存ユニット２４、エラーコード及びメッセージ保存ユニット２５、命令デコード回路２６が設けられている。該装置識別データ保存ユニット２４中には該電器設備自身の設定装置コード、通信協定、制御ボタン非値等の該ターゲット電器設備を代表するデータが保存される。
【００２３】
該エラーコード及びメッセージ保存ユニット２５中には複数のターゲット電器設備２の一般の運転エラー情況を代表するエラーコード（Ｅｒｒｏｒ  Ｃｏｄｅ）及びエラーメッセージ（Ｅｒｒｏｒ  Ｍｅｓｓａｇｅ）が保存され、例えば該ターゲット電器設備２がクーラーである時、該エラーメッセージはフィルタ交換の必要、圧縮機異常等のクーラーの運転時のエラー情況を包括する。
【００２４】
該ターゲット電器設備制御回路２１のマイクロコントローラー２２は別に少なくとも一つのエラー事件検出装置２７に接続され、それはターゲット電器設備２のエラー情況を検出し、例えば該ターゲット電器設備２がクーラーである時、該エラー事件検出装置２７は計時器とされて、該クーラーの使用時間数を累計し、フィルタ交換の必要を通知し、該エラー事件検出装置はまた温度センサとされて、該クーラーの圧縮機温度が過高であるか否かを検出するものとされうる。
【００２５】
図４は本発明のインタラクティブタッチコントロールリモートコントロール装置が装置コードアクセスと表示制御を行なう時の制御フローチャートである。図２及び図３の制御回路図も共に参照し、本発明の方法について以下に説明する。
【００２６】
まず、インタラクティブタッチコントロールリモートコントロール装置１の電源が正常に供給されている時、マイクロコントローラー１４は先にマイクロコントローラーの初期設定を完成する（ステップ１０１）。その後、使用者がモジュールケース１１上の要求確認装置の信号発送ボタン１３を押圧したか否かを検出する（ステップ１０２）。
【００２７】
マイクロコントローラー１４が使用者が要求確認装置の信号発送ボタン１３が押圧されたことを検出した時、インタラクティブタッチコントロールリモートコントロール装置１の発射回路１８１が要求確認装置の信号Ｓ１を発射し（ステップ１０３）、ターゲット電器設備２にターゲット電器設備２の装置コードを応答及び伝送するよう要求する。
【００２８】
ターゲット電器設備２はインタラクティブタッチコントロールリモートコントロール装置１が発射した要求確認装置の信号Ｓ１を受け取ると、それ自身の装置コード信号Ｓ２を発生し応答し（ステップ１０４）、並びにインタラクティブタッチコントロールリモートコントロール装置１の受信回路１８２がそれを受信する（ステップ１０５）。
【００２９】
インタラクティブタッチコントロールリモートコントロール装置１の受信回路１８２が該ターゲット電器設備２の応答及び伝送した装置コード信号Ｓ２を受け取ると、マイクロコントローラー１４が受け取った装置コード信号Ｓ２により、装置識別データ保存装置１５中で該装置コードに符合するデータが存在するかをサーチする（ステップ１０６）。
【００３０】
インタラクティブタッチコントロールリモートコントロール装置１のマイクロコントローラー１４が装置識別データ保存装置１５中で該装置コード信号Ｓ２に符合するデータをサーチできた時（ステップ１０７）、続いて該装置コード信号Ｓ２に対応する通信協定、制御ボタン配置等の関係データを現在装置コードレジスタ１６にロードする（ステップ１０８）。
【００３１】
その後、該マイクロコントローラー１４は該装置コードに対応する制御ボタン配置等のデータを表示インタフェース１４１を通してタッチコントロール表示モジュール１２の表示ユニット１２２に表示する（ステップ１０９）。この後、使用者はタッチコントロール表示モジュール１２の表示ユニット１２２に表示された各数字キー、制御ボタンにより押圧操作を行なう。この配置された制御ボタンは文字の方式で表現可能であるほか、イメージ方式でも表現可能で、使用者がボタン機能を識別しやすいものとされる。
【００３２】
前述のステップ１０７で、もしマイクロコントローラー１４が装置識別データ保存装置１５中に該装置コードに符合するデータをサーチできなかった時は、マイクロコントローラー１４は表示インタフェース１４１を通してエラーメッセージをタッチコントロール表示モジュール１２の表示ユニット１２２に表示する（ステップ１１０）。
【００３３】
図５は使用者がインタラクティブタッチコントロールリモートコントロール装置を使用してターゲット電器設備をリモートコントロールを行なうときの制御フローチャートである。本発明のインタラクティブタッチコントロールリモートコントロール装置１は図４に示される装置コードアクセスフローの後、使用者が該インタラクティブタッチコントロールリモートコントロール装置１によりターゲット電器設備２の各種リモートコントロール操作機能を制御することができる。
【００３４】
マイクロコントローラー１４は、タッチコントロール表示モジュール１２が使用者が表示ユニット１２２上の任意の制御ボタンを押圧したことを検出（ステップ２０１）すると、その制御ボタン信号を識別し（ステップ２０２）、発射回路１８１を通して制御ボタンの代表する命令信号を装置コードと併せて発射する（ステップ２０３）。
【００３５】
該インタラクティブタッチコントロールリモートコントロール装置１が発射した命令信号は対応する装置コードのターゲット電器設備２の受信回路２３２に受信され（ステップ２０４）、並びにターゲット電器設備２中の命令デコード回路２６がそれをデコードする（ステップ２０５）。デコード後の命令はターゲット電器設備制御回路２１によりターゲット電器設備２の各種の操作機能を制御する（ステップ２０６）。
【００３６】
図６は本発明のインタラクティブタッチコントロールリモートコントロール装置及び方法の装置エラー発生時の制御フローチャートである。ターゲット電器設備２が正常運転状態にある時、該ターゲット電器設備２のマイクロコントローラー２２はエラー事件検出装置２７により該ターゲット電器設備２に異常情況が発生したか否かを検出する（ステップ３０１）。該ターゲット電器設備２にエラーが発生したことが検出されると、該マイクロコントローラー２２の制御により、発射回路２３１よりエラーコード及びメッセージ保存ユニット２５中の対応するエラーコード及びメッセージが発射される（ステップ３０２）。
【００３７】
該インタラクティブタッチコントロールリモートコントロール装置１の受信回路１８２が該ターゲット電器設備２の発射するエラーコード及びメッセージを受け取る（ステップ３０３）と、インタラクティブタッチコントロールリモートコントロール装置１のマイクロコントローラー１４が該エラーコード及びメッセージを表示インタフェース１４１を通してタッチコントロール表示モジュール１２の表示ユニット１２２に表示する（ステップ３０４）。ゆえにターゲット電器設備に設定されたエラー情況が発生する時、使用者は適時に該エラー情況を知ることができ、並びに適時に基本的故障を排除するか、或いは修理員による迅速な修理の参考に供することができる。
【００３８】
以上の実施例は、単一のインタラクティブタッチコントロールリモートコントロール装置が単一のターゲット電器設備に対応する実施例とされる。実際の応用時には、単一のインタラクティブタッチコントロールリモートコントロール装置が複数のターゲット電器設備に対応し各ターゲット電器設備のリモートコントロールを行なうことも可能である。図７は本発明のインタラクティブタッチコントロールリモートコントロール装置の第２実施例表示図である。
【００３９】
この実施例では、単一のインタラクティブタッチコントロールリモートコントロール装置１が複数のターゲット電器設備２ａ、２ｂ、２ｃに対応する。インタラクティブタッチコントロールリモートコントロール装置１はまたモジュールケース１１、タッチコントロール表示モジュール１２、要求確認装置の信号発送ボタン１３を具えている。各ターゲット電器設備２ａ、２ｂ、２ｃはそれぞれ一つの独立した装置コードを付与されている。該インタラクティブタッチコントロールリモートコントロール装置１は各ターゲット電器設備２ａ、２ｂ、２ｃの装置コードＩＤ１、ＩＤ２、ＩＤ３を保存できる。
【００４０】
該ターゲット電器設備２ａ、２ｂ、２ｃは要求確認装置の信号Ｓ１を受け取った後、それぞれそれ自身の装置コード信号Ｓ２ａ、Ｓ２ｂ、Ｓ２ｃを以て応答し、インタラクティブタッチコントロールリモートコントロール装置１がそれを受信し、インタラクティブタッチコントロールリモートコントロール装置１はタッチコントロール表示モジュール１２の表示ユニット上に複数のターゲット電器設備の装置コードＩＤ１、ＩＤ２、ＩＤ３を表示し、使用者にリモートコントロールしたいターゲット電器設備を選択させる。使用者がそのうち一つの電器設備の装置コードを選択する時、該インタラクティブタッチコントロールリモートコントロール装置１はその装置コードに対応する制御ボタン配置をそのタッチコントロール表示モジュール１２の表示ユニットに表示し、使用者が選定したターゲット電器設備の各種動作をリモートコントロールするのに供する。
【００４１】
更に、このターゲット電器設備２ａ、２ｂ、２ｃが設定されたエラー情況を発生する時、該ターゲット電器設備２ａ、２ｂ、２ｃはそのエラー情況を代表するエラーコード信号Ｓ３ａ、Ｓ３ｂ、Ｓ３ｃをインタラクティブタッチコントロールリモートコントロール装置１に送り、更にインタラクティブタッチコントロールリモートコントロール装置１が該エラーコード及びエラーメッセージをそのタッチコントロール表示モジュール１２の表示ユニットに表示する。本実施例のその他の作業原理と制御回路構造はほぼ先の実施例と同じである。
【００４２】
以上の実施例から分かるように、本発明の提供するインタラクティブタッチコントロールリモートコントロール装置及びその方法は高度の産業上の利用価値を有する。ただし上述の実施例の説明は本発明の好ましい実施例の説明に過ぎず、これらの実施例の説明及び図面に基づきなしうる修飾及び変化はいずれも本発明の請求範囲に属するものとする。
【図面の簡単な説明】
【００４３】
【図１】本発明のインタラクティブタッチコントロールリモートコントロール装置の第１実施例の表示図である。
【図２】本発明のインタラクティブタッチコントロールリモートコントロール装置１の制御回路ブロック図である。
【図３】本発明のターゲット電器設備の制御回路ブロック図である。
【図４】本発明のインタラクティブタッチコントロールリモートコントロール装置が装置コードアクセスと表示制御を行なう時の制御フローチャートである。
【図５】本発明において使用者がインタラクティブタッチコントロールリモートコントロール装置を使用してターゲット電器設備をリモートコントロールを行なうときの制御フローチャートである。
【図６】本発明のインタラクティブタッチコントロールリモートコントロール装置及び方法の装置エラー発生時の制御フローチャートである。
【図７】本発明のインタラクティブタッチコントロールリモートコントロール装置の第２実施例表示図である。
【符号の説明】
【００４４】
１  インタラクティブタッチコントロールリモートコントロール装置
１１  モジュールケース
１２  タッチコントロール表示モジュール
１２１  タッチコントロール位置検出ユニット
１２２  表示ユニット
１３  要求確認装置の信号発送ボタン
１４  マイクロコントローラー
１４１  表示インタフェース
１５  装置識別データ保存装置
１６  現在装置コードレジスタ
１７  電源供給ユニット
１８１  発射回路
１８２  受信回路
２  ターゲット電器設備
２ａ、２ｂ、２ｃ  ターゲット電器設備
２１  ターゲット電器設備制御回路
２２  マイクロコントローラー
２３１  発射回路
２３２  受信回路
２４  装置識別データ保存ユニット
２５  エラーコード及びメッセージ保存ユニット
２６  命令デコード回路
２７  エラー事件検出装置
【図１】
2006148850.tif 000003
【図２】
2006148850.tif 000004
【図３】
2006148850.tif 000005
【図４】
2006148850.tif 000006
【図５】
2006148850.tif 000007
【図６】
2006148850.tif 000008
【図７】
2006148850.tif 000009